(57)【特許請求の範囲】
【請求項１】
刃部と支軸とを備えた固定刃と可動刃とのいずれか一方の前記支軸を回動自在に支持する第１フレームと、
前記第１フレームに回動開閉自在に取り付けられ、閉じられた状態で前記固定刃と前記可動刃とのいずれか他方の前記支軸をその前記刃部が前記固定刃の前記刃部に噛み合う位置に位置させて回動自在に支持する第２フレームと、
前記第１フレームに対して前記第２フレームが閉じられた状態でこれらの第１フレームと第２フレームとのいずれか一方が自ら支持しない方の前記固定刃と前記可動刃とのいずれか一方の前記支軸を嵌合位置決めする前記第１フレームと前記第２フレームとのいずれか一方に形成された位置決め溝と、
前記位置決め溝に嵌合位置決めされた前記支軸を位置固定する固定手段と、
を具備するカッタ装置。
【発明の詳細な説明】
【０００１】
【発明の属する技術分野】
本発明は、レシートプリンタ等に用いられるロータリカッタ装置に関する。
【０００２】
【従来の技術】
従来、固定刃に対して可動刃を回動させることで互いの刃部を鋏のように噛み合わせ、互いの刃部の間に位置する切断対象物、例えばレシート用紙等を切断するようにしたロータリカッタ装置がある。このようなロータリカッタ装置の従来の一例を図５及び図６に基づいて説明する。
【０００３】
まず、対向する二辺を備えたフレーム１０１が設けられ、このフレーム１０１の対向する二辺には固定刃１０２と可動刃１０３とが回動自在に取り付けられている。つまり、固定刃１０２と可動刃１０３とはそれぞれ支軸１０２ａ，１０３ａを備え、これらの支軸１０２ａ，１０３ａがフレーム１０１の対向する二辺に嵌合することにより固定刃１０２と可動刃１０３とがフレーム１０１に回動自在に取り付けられている。また、可動刃１０３にはその支軸１０３ａと平行に駆動軸１０３ｂが設けられ、この駆動軸１０３ｂが駆動されることで可動刃１０３はその支軸１０３ａを中心として回動する。ここで、固定刃１０２の支軸１０２ａと可動刃１０３の支軸１０３ａとは平行に対して僅かにずれているため、可動刃１０３の回動に伴い、互いの刃部１０２ｅ，１０３ｅが鋏のように噛み合うことになる。そして、可動刃１０３の回動に伴い固定刃１０２は一方向に押されて回動するが、この際、固定刃１０２の支軸１０２ａに取り付けられて固定刃１０２とフレーム１０１とを連結する図示しないコイルスプリングの復帰力によって固定刃１０２はその回動方向と逆方向に反力を持つ。これにより、固定刃１０２と可動刃１０３との互いの刃部１０２ｅ，１０３ｅの間に位置する切断対象が良好な切れ味をもって切断されることになる。
【０００４】
このような構造のものは、例えばレシートプリンタに用いるとすると、固定刃１０２と可動刃１０３との間にレシート用紙の案内搬送経路が位置付けられるようロータリカッタ装置を配置し、駆動部の動力を駆動力伝達機構（共に図示せず）によって可動刃１０３の駆動軸１０３ｂに伝達し、可動刃１０３を揺動動作させるようにする。これにより、固定刃１０２の刃部１０２ｅに可動刃１０３の刃部１０３ｅが鋏のように噛み合い、固定刃１０２と可動刃１０３との間に位置するレシート用紙が切断される。
【０００５】
ところが、図５及び図６に示すようなロータリカッタ装置は固定刃１０２と可動刃１０３との間の隙間が僅かであるので、レシート用紙等のセット動作やジャム処理動作等がしにくいという問題がある。そこで、従来、図７及び図８に示すようなロータリカッタ装置も実用化されている。このロータリカッタ装置は、用紙を切断する基本構造は図５及び図６に示すロータリカッタ装置と同様である。異なる点は、第１フレーム１１１とこの第１フレーム１１１に対して回動自在に取り付けられた第２フレーム１１２とが設けられ、固定刃１０２が第１フレーム１１１に取り付けられ、可動刃１０３が第２フレーム１１２に取り付けられている点である。そして、第１フレーム１１１には側方に突出する一対のピン１１３が立設され、第２フレーム１１２にはそれらのピン１１３に係脱する一対のフック１１４が回転自在に取り付けられている。さらに、その構造は図示しないが、第２フレーム１１２は開放方向に付勢されている。
【０００６】
このような構造のものは、ピン１１３からフック１１４の係合を外すと第２フレーム１１２が第１フレーム１１１から離反し、第１フレーム１１１に取り付けられた固定刃１０２と第２フレーム１１２に取り付けられた可動刃１０３との間が開放される。これにより、レシート用紙等のセット動作やジャム処理動作等がしやすくなる。
【０００７】
【発明が解決しようとする課題】
ところが、図７及び図８に示すような構造のロータリカッタ装置では、第１フレーム１１１と第２フレーム１１２との間にガタがあると、固定刃１０２と可動刃１０３との間の互いの刃部１０２ｅ，１０３ｅの噛み合わせが微妙に位置ずれし、切れ味が悪くなってしまうという問題がある。
【０００８】
本発明の目的は、固定刃と可動刃との間を開放することができる構造でありながら、固定刃と可動刃との間の互いの刃部の噛み合わせ精度を維持できるようにする。
【０００９】
【課題を解決するための手段】
請求項１記載の発明は、刃部と支軸とを備えた固定刃と可動刃とのいずれか一方の支軸を回動自在に支持する第１フレームと、第１フレームに回動開閉自在に取り付けられ、閉じられた状態で固定刃と可動刃とのいずれか他方の支軸をその刃部が固定刃の刃部に噛み合う位置に位置させて回動自在に支持する第２フレームと、第１フレームに対して第２フレームが閉じられた状態で第１フレームと第２フレームとのいずれか一方が自ら支持しない方の固定刃と可動刃とのいずれか一方の支軸を嵌合位置決めする第１フレームと第２フレームとのいずれか一方に形成された位置決め溝と、位置決め溝に嵌合位置決めされた支軸を位置固定する固定手段とを具備する。
【００１０】
したがって、第１フレームに対して第２フレームを開放することで固定刃と可動刃との間が開放され、用紙のセット動作やジャム処理動作等が容易となる。また、位置決め溝とこの位置決め溝が形成された第１又は第２フレームに支持された固定刃又は可動刃との間の位置精度が出ていれば、固定刃と可動刃との間の位置精度が良好になるため、固定刃と可動刃との間の互いの刃部の噛み合わせ精度が良好に維持される。
【００１１】
【発明の実施の形態】
本発明の実施の一形態を図１ないし図４に基づいて説明する。図１はロータリカッタ装置全体の斜視図、図２は使用時の側面図、図３は用紙案内経路開放時の側面図、図４は正面図である。
【００１２】
第１フレーム１とこの第１フレーム１に対して支軸ａによって回動自在に取り付けられた第２フレーム２とが設けられ、第２フレーム２には固定刃３が取り付けられ、第１フレーム１には可動刃４が取り付けられている。つまり、固定刃３には支軸３ａ、可動刃４には支軸４ａがそれらの刃部３ｅ，４ｅの側方の面に突出形成され、これらの支軸３ａ，４ａがそれぞれ第２フレーム２と第１フレーム１とに回動自在に取り付けられている。可動刃４にはその支軸４ａと平行に駆動軸４ｂが突出形成され、この駆動軸４ｂが駆動されることで可動刃４はその支軸４ａを中心として回動する。ここで、固定刃３の支軸３ａと可動刃４の支軸４ａとは平行に対して僅かにずれているため、第１フレーム１に対して第２フレーム２が閉じられている状態では、可動刃４の回動に伴って互いの刃部３ｅ，４ｅが鋏のように噛み合うことになる。そして、可動刃４の回動に伴い固定刃３は一方向に押されて回動するが、この際、固定刃３の支軸３ａに取り付けられて固定刃３と第２フレーム２とを連結する図示しないコイルスプリングの復帰力によって固定刃３はその回動方向と逆方向に反力を持つ。これにより、固定刃３と可動刃４との互いの刃部３ｅ，４ｅの間に位置する切断対象が良好な切れ味をもって切断されることになる。
【００１３】
次いで、第２フレーム２は、その支軸２ａによって第１フレーム１に回動自在に取り付けられており、支軸２ａには、第１フレーム１と第２フレーム２とを連結する図示しないコイルスプリングが取り付けられている。これにより、第２フレーム２は開放方向に付勢されている。また、第２フレーム２に回動自在に取り付けられた固定刃３の支軸３ａは第２フレーム２の側方から延出しており、第１フレーム１には第２フレーム２が閉じられた場合に固定刃３の支軸３ａを嵌合させて位置決めする位置決め溝５が形成されている。そして、第１フレーム１には位置決め溝５に嵌合位置決めされた固定刃３の支軸３ａに対して係脱自在である固定手段としての一対のフック６が回動自在に取り付けられている。したがって、固定刃３の支軸３ａに対するフック６の係合が外れると、第２フレーム２は図示しないコイルスプリングの付勢力によって開放方向に回動する。
【００１４】
このような構成において、本実施の形態のロータリカッタ装置を例えばレシートプリンタに用いるとすると、固定刃３と可動刃４との間にレシート用紙の案内搬送経路が位置付けられるようロータリカッタ装置を配置し、駆動部の動力を駆動力伝達機構（共に図示せず）によって可動刃４の駆動軸４ｂに伝達し、可動刃４を揺動動作させるようにする。これにより、固定刃３の刃部３ｅに可動刃４の刃部４ｅが鋏のように噛み合い、固定刃３と可動刃４との間に位置するレシート用紙が切断される。
【００１５】
次いで、用紙セット時やジャム処理時には、固定刃３の支軸３ａからフック６の係合を外す。これにより、第２フレーム２が第１フレーム１から離反し、第１フレーム１に取り付けられた固定刃３と第２フレーム２に取り付けられた可動刃４との間が開放される。これにより、レシート用紙等のセット動作やジャム処理動作等がしやすくなる。この場合、位置決め溝５と可動刃４との間の位置精度が出ていれば、固定刃３と可動刃４との間の位置精度が良好になるため、固定刃３と可動刃４との間の互いの刃部３ｅ，４ｅの噛み合わせ精度が良好に維持される。したがって、固定刃３と可動刃４とによる用紙の切れ味を良好に維持することができる。
【００１６】
なお、本実施の形態では第１フレーム１に可動刃４が支持されて第２フレーム２に固定刃３が支持されているが、実施に当たってはその反対でも良い。また、本実施の形態では第１フレーム１に形成された位置決め溝５に固定刃３の支軸３ａを嵌合固定する構造としたが、実施に当たっては第２フレーム２に位置決め溝５を形成してこの位置決め溝５に第２フレーム２に支持させた固定刃３又は可動刃４のいずれか一方の支軸３ａ又は４ａを嵌合固定するように構成しても良い。
【００１７】
【発明の効果】
本発明は、上述のように構成したので、固定刃と可動刃との間を開放することができる構造でありながら、位置決め溝とこの位置決め溝が形成された第１又は第２フレームに支持された固定刃又は可動刃との間の位置精度を出すことで、固定刃と可動刃との間の位置精度を良好にして固定刃と可動刃との間の互いの刃部の噛み合わせ精度を向上させることができる。したがって、固定刃と可動刃とによる切れ味を良好に維持することができる。
【図面の簡単な説明】
【図１】本発明の実施の一例を示すロータリカッタ装置全体の斜視図である。
【図２】使用時の側面図である。
【図３】用紙案内経路開放時の側面図である。
【図４】正面図である。
【図５】ロータリカッタ装置の従来の一例を示す斜視図である。
【図６】固定刃と可動刃とを示す側面図である。
【図７】ロータリカッタ装置の従来の別の一例を示す斜視図である。
【図８】その側面図である。
【符号の説明】
１      第１フレーム
２      第２フレーム
３      固定刃
３ａ，４ａ      支軸
３ｅ，４ｅ      刃部
４      可動刃
５      位置決め溝
６      固定手段（フック）
【図１】
0003788682.tif 000002
【図２】
0003788682.tif 000003
【図３】
0003788682.tif 000004
【図４】
0003788682.tif 000005
【図５】
0003788682.tif 000006
【図６】
0003788682.tif 000007
【図７】
0003788682.tif 000008
【図８】
0003788682.tif 000009